(57)【要約】    【課題】道路交通情報の内容が集中している地域においても、視認性を損なわずに本来の道路交通情報の内容をユーザに提供できる道路交通情報の表示方法を提供する。    【解決手段】駐車場マークが重なり合って表示されてしまう場合、重なり合っている複数の駐車場マークに置き換えて、その複数の駐車場マークのそれぞれが表す駐車場情報を１つに統合して表すための表示マークとして統合駐車場マーク３１および３２を表示する。さらに、その統合駐車場マーク３１と３２のそれぞれについて、統合前の駐車場マークの件数を表す件数表示３３と３４を表示する。統合駐車場マーク３１と３２の各色分け部分が全体に対して占める面積の割合は、統合する前の駐車場マークの全体合計数に対するその空き状況ごとの合計数の比率とそれぞれ等しい。【選択図】図３
2005308475.tif 000002
【特許請求の範囲】
【請求項１】
道路交通情報を取得する道路交通情報取得手段と、
表示モニタに道路地図を表示する道路地図表示手段と、
前記道路交通情報取得手段により取得された道路交通情報に基づいて、その道路交通情報の内容の各々を前記道路地図上に別々に表すための各種のマークを前記表示モニタに表示するマーク表示手段と、
前記マーク表示手段により複数のマークが重なり合って表示されるとき、その複数のマークに置き換えて、その複数のマークの各々によって表される道路交通情報の内容を統合して前記道路地図上に表すための統合マークを前記表示モニタに表示する統合マーク表示手段とを備えることを特徴とする車載情報端末。
【請求項２】
請求項１の車載情報端末において、
前記統合マーク表示手段により前記統合マークと置き換えられた複数のマークの合計数を、前記統合マークごとに前記表示モニタに表示するマーク数表示手段をさらに備えることを特徴とする車載情報端末。
【請求項３】
請求項１または２の車載情報端末において、
前記統合マーク表示手段は、重なり合う複数の種類のマークに置き換えて、その重なり合う複数のマークの種類ごとの合計数の比率に応じた表示形態で、前記統合マークを表示することを特徴とする車載情報端末。
【請求項４】
請求項３の車載情報端末において、
前記重なり合う複数の種類のマークに置き換えて表示する統合マークの表示形態は、
前記マークの種類に応じて配色された複数の色分け部分を有し、
各色分け部分が該統合マークの全体に対して占める面積の割合が、前記重なり合う複数の種類のマークの全体合計数に対するその種類ごとの合計数の比率とそれぞれ等しいことを特徴とする車載情報端末。
【請求項５】
表示モニタに道路地図を表示し、
複数の駐車場についての駐車場情報の内容を統合して前記道路地図上に表すための統合駐車場マークを前記表示モニタに表示することを特徴とする車載情報端末。
【請求項６】
請求項５の車載情報端末において、
前記統合駐車場マークが表す駐車場情報の内容における駐車場の合計数を、前記統合駐車場マークごとに前記表示モニタに表示することを特徴とする車載情報端末。
【請求項７】
請求項５または６の車載情報端末において、
前記統合駐車場マークが表す駐車場情報の内容における空き状況ごとの駐車場の合計数の比率に応じた表示形態で、前記統合駐車場マークを表示することを特徴とする車載情報端末。
【発明の詳細な説明】
【技術分野】
【０００１】
本発明は、道路交通情報を道路地図上に表示するナビゲーション装置などの車載情報端末に関する。
【背景技術】
【０００２】
駐車場の空き状況を示す駐車場マークを道路地図上の各駐車場の位置に表示するなど、各種表示マークを用いて様々な道路交通情報の内容を画像表示し、ユーザに提供するナビゲーション装置が従来から知られている。しかし、たとえば駐車場の密集地域など、表示すべき道路交通情報の内容が集中している地域においては、表示マークが重なってしまうため画面が見づらくなる場合がある。そこで、表示マークが重なり合うときには優先度の高い情報の表示マークのみを表示することにより、画面の視認性を損なわないようにしたナビゲーション装置がある（特許文献１）。
【０００３】
【特許文献１】特開２００２−１０７１５５号公報
【発明の開示】
【発明が解決しようとする課題】
【０００４】
特許文献１に開示されるナビゲーション装置では、重なり合う表示マークのうち優先度の低い情報の表示マークは表示されないため、本来の道路交通情報の内容をユーザに提供できないという問題がある。したがって、道路交通情報の内容が集中している地域においても、視認性を損なわずに本来の道路交通情報の内容をユーザに提供できる道路交通情報の表示方法が求められている。
【課題を解決するための手段】
【０００５】
請求項１の発明による車載情報端末は、道路交通情報を取得する道路交通情報取得手段と、表示モニタに道路地図を表示する道路地図表示手段と、道路交通情報取得手段により取得された道路交通情報に基づいて、その道路交通情報の内容の各々を道路地図上に別々に表すための各種のマークを表示モニタに表示するマーク表示手段と、マーク表示手段により複数のマークが重なり合って表示されるとき、その複数のマークに置き換えて、その複数のマークの各々によって表される道路交通情報の内容を統合して道路地図上に表すための統合マークを表示モニタに表示する統合マーク表示手段とを備えるものである。
請求項２の発明は、請求項１の車載情報端末において、統合マーク表示手段により統合マークと置き換えられた複数のマークの合計数を、統合マークごとに表示モニタに表示するマーク数表示手段をさらに備えるものである。
請求項３の発明は、請求項１または２の車載情報端末において、統合マーク表示手段は、重なり合う複数の種類のマークに置き換えて、その重なり合う複数のマークの種類ごとの合計数の比率に応じた表示形態で、統合マークを表示するものである。
請求項４の発明は、請求項３の車載情報端末において、重なり合う複数の種類のマークに置き換えて表示する統合マークの表示形態は、マークの種類に応じて配色された複数の色分け部分を有し、各色分け部分が該統合マークの全体に対して占める面積の割合が、重なり合う複数の種類のマークの全体合計数に対するその種類ごとの合計数の比率とそれぞれ等しいものである。
請求項５の発明による車載情報端末は、表示モニタに道路地図を表示し、複数の駐車場についての駐車場情報の内容を統合して道路地図上に表すための統合駐車場マークを表示モニタに表示するものである。
請求項６の発明は、請求項５の車載情報端末において、統合駐車場マークが表す駐車場情報の内容における駐車場の合計数を、統合駐車場マークごとに表示モニタに表示するものである。
請求項７の発明は、請求項５または６の車載情報端末において、統合駐車場マークが表す駐車場情報の内容における空き状況ごとの駐車場の合計数の比率に応じた表示形態で、統合駐車場マークを表示するものである。
【発明の効果】
【０００６】
本発明によれば、道路交通情報を取得し、その道路交通情報に基づいて各種のマークを道路地図上に表示するとともに、複数のマークが重なり合って表示されるときには、その複数のマークに置き換えて、その複数のマークのそれぞれが表す道路交通情報の内容を統合して道路地図上に表すための統合マークを表示することとした。このようにしたので、道路交通情報の内容が集中している地域においても、視認性を損なわずに本来の道路交通情報の内容を提供することができる。
【発明を実施するための最良の形態】
【０００７】
本発明の一実施形態によるナビゲーション装置の構成を図１に示す。このナビゲーション装置は車両に搭載されており、推奨経路を探索して道路地図を表示することにより自車両を目的地まで誘導すると共に、ＶＩＣＳセンターより送信されるＶＩＣＳ情報を受信して、そのＶＩＣＳ情報に含まれる駐車場情報などの各種道路交通情報の内容を道路地図上に表示するものである。図１に示すナビゲーション装置１は、制御回路１１、ＲＯＭ１２、ＲＡＭ１３、現在地検出装置１４、画像メモリ１５、表示モニタ１６、入力装置１７、ＶＩＣＳ情報受信部１８、およびディスクドライブ１９を有している。ディスクドライブ１９には、地図データが記録されたＤＶＤ−ＲＯＭ２０が装填される。
【０００８】
制御回路１１は、マイクロプロセッサおよびその周辺回路からなり、ＲＡＭ１３を作業エリアとしてＲＯＭ１２に格納された制御プログラムを実行することにより、後で説明するような各種の処理や制御を行う。現在地検出装置１４は、自車両の現在地を検出する装置であり、たとえば、自車両の進行方位を検出する振動ジャイロ１４ａ、車速を検出する車速センサ１４ｂ、ＧＰＳ衛星からのＧＰＳ信号を検出するＧＰＳセンサ１４ｃ等からなる。ナビゲーション本体１は、この現在地検出装置１４により検出される自車両の現在地に基づいて、後述する経路探索開始点を決定することができる。
【０００９】
画像メモリ１５は、表示モニタ１６に表示するための画像データを一時的に格納する。この画像データは、道路地図を表示するための道路地図描画用データや各種の図形データ等からなり、ＤＶＤ−ＲＯＭ２０に記録されている地図データや、後で説明するＶＩＣＳ情報受信部１８により受信したＶＩＣＳ情報に基づいて、制御回路１１において作成される。制御回路１１により作成された画像データが画像メモリ１５に出力されることによって、表示モニタ１６に道路地図が表示され、さらに、その道路地図上に様々な道路交通情報が表示される。
【００１０】
入力装置１７は、車両の目的地や経由地（以下、これらを合わせて単に目的地という）をユーザが設定したりするための各種入力スイッチを有している。この入力装置１７は、操作パネルやリモコンなどによって実現される。ユーザは、表示モニタ１６に表示される画面指示に従って入力装置１７を操作することにより、地名や地図上の位置などを指定して目的地を設定することができる。
【００１１】
ＶＩＣＳ情報受信部１８は、不図示のＶＩＣＳ情報センターからナビゲーション装置１に対して送信されるＶＩＣＳ情報を受信する。このＶＩＣＳ情報により、駐車場情報や渋滞情報、通行規制情報などの様々な道路交通情報がナビゲーション装置１に対して送信される。ＶＩＣＳ情報受信部１８において受信されたＶＩＣＳ情報は制御回路１１に出力され、前述したように制御回路１１において、道路地図上に道路交通情報の内容を画像表示するための画像データが作成される。このようにして、受信されたＶＩＣＳ情報に基づいて、各種の道路交通情報の内容がそれぞれ別々に表示モニタ１６に画像表示される。なお、このときの具体的な表示内容については後で説明する。
【００１２】
ＶＩＣＳ情報センターからナビゲーション装置１へのＶＩＣＳ情報の送信は、主に高速道路上に設置されている電波ビーコンや、主に一般道路上に設置されている光ビーコン、またはＦＭ多重放送によって行われる。電波ビーコンや光ビーコンは、その設置地点付近を通過する車両に対して、電波あるいは光により局所的にＶＩＣＳ情報を送信するものである。これに対して、ＦＭ多重放送では比較的広い地域に対してＶＩＣＳ情報を送信することができる。
【００１３】
なお、上記のようにしてＶＩＣＳ情報センターからナビゲーション装置１に送信されるＶＩＣＳ情報では、現在地付近の一定地域、たとえば同一都道府県内の道路交通情報しか送信されない。そのため、全国の道路交通情報をＶＩＣＳセンターから取得できる基地局を設け、携帯電話回線などを介して、その基地局からナビゲーション装置１に全国の道路交通情報を配信するようにしてもよい。
【００１４】
ディスクドライブ１９は、装填されたＤＶＤ−ＲＯＭ２０より、道路地図を表示するための地図データを読み出す。この地図データには、ルート探索に用いられる経路計算データや、交差点名称および道路名称など、推奨経路に従って自車両を目的地まで誘導するために用いられる経路誘導データ、さらに道路を表す道路データなどが含まれている。また、河川や鉄道、地図上の各種施設等（ランドマーク）など、道路以外の地図形状を表す背景データなども地図データに含まれている。
【００１５】
道路データにおいて、道路区間を表す最小単位はリンクと呼ばれており、各道路は複数のリンクによって構成されている。リンク同士を接続している点はノードと呼ばれ、このノードはそれぞれに位置情報（座標情報）を有している。このノードの位置情報によって、リンク形状、すなわち道路の形状が決定される。なお、ここではＤＶＤ−ＲＯＭを用いた例について説明しているが、ＤＶＤ−ＲＯＭ以外の他の記録メディア、たとえばＣＤ−ＲＯＭやハードディスクなどより、地図データを読み出すこととしてもよい。
【００１６】
ユーザが入力装置１７を操作して目的地を設定すると、ナビゲーション装置１は、現在地検出装置１４により検出された現在地を経路探索開始点として、前述の経路計算データに基づいて所定のアルゴリズムの演算を行うことにより、現在地から目的地までのルート探索を行う。ルート探索の結果求められた推奨経路は、その表示形態、たとえば表示色などを変えることによって、他の道路とは区別して道路地図上に表される。これにより、ユーザは推奨経路を表示モニタ１６に表示された道路地図上において認識することができる。また、この推奨経路に従って自車両が走行できるよう、ナビゲーション装置１は、ユーザに対して画像や音声などによる進行方向指示を行うことにより、自車両を誘導する。このように、道路地図を表示して推奨経路に従って自車両を目的地まで誘導することにより、目的地までのルート案内が行われる。
【００１７】
ナビゲーション装置１はまた、ＶＩＣＳ情報受信部１８によりＶＩＣＳ情報を受信すると、そのＶＩＣＳ情報に基づいて前述したような様々な道路交通情報の内容を表示モニタ１６に画像表示する。たとえば、駐車場の空き状況に応じて色分けした駐車場マークを道路地図上の各駐車場の位置に表示することにより、駐車場情報の内容を表示する。このときの色分け例としては、空き状況に余裕があるとき（空車）は青色、空きが少ないとき（混雑）はオレンジ色、空きがないとき（満車）は赤色で、各駐車場マークを表示する。また、渋滞情報や通行規制情報など他の道路交通情報の内容についても、その内容を表すための表示マークがそれぞれに画像表示される。このように、道路交通情報の内容の各々が、各種の表示マークを用いて道路地図上に別々に表される。
【００１８】
なお、ＶＩＣＳセンターより送信されるＶＩＣＳ情報にはレベル１〜レベル３の３段階のレベルがあり、ＶＩＣＳ情報により送信された道路交通情報を表示したときの表示形態は、このレベルによって異なる。レベル１の場合、文字によって道路交通情報の内容が表示される。たとえば、渋滞地点名や渋滞距離、ある地点間の所要時間などを表現した文章が、レベル１のＶＩＣＳ情報によって表示される。レベル２の場合は、簡易図形（道路線形を簡易的な図形で表したもの）を用いて表現された道路交通情報の内容が表示される。たとえば、特定の道路の渋滞箇所を赤やオレンジ色などによって簡易図形上に表した画像が、レベル２のＶＩＣＳ情報によって表示される。
【００１９】
以上説明したように、レベル１とレベル２のＶＩＣＳ情報による道路交通情報は、道路地図とは組み合わされずに単独で表示される。一方、レベル３のＶＩＣＳ情報による道路交通情報は、前述した駐車場マークのように道路地図と組み合わされて表示される。このように、道路交通情報の内容を道路地図上に重ねて画像表示するときには、レベル３のＶＩＣＳ情報が用いられ、レベル１とレベル２のＶＩＣＳ情報は用いられない。
【００２０】
次に、道路地図上に駐車場マークを表示する具体的な方法について説明する。レベル３のＶＩＣＳ情報では、駐車場情報として各駐車場の位置情報と空き状況が送信される。この空き状況には、前述した空車、混雑または満車のいずれかが設定されている。こうした駐車場情報に基づいて、前述のように色分けされた駐車場マークを道路地図上の各駐車場の位置にそれぞれ表示することにより、駐車場情報の内容を道路地図上に分かりやすい表示形態で表示する。
【００２１】
しかし、上記のようにして駐車場マークを表示すると、駐車場が密集している地域などにおいては、多数の駐車場マークが重なり合ってしまうため画面が見づらくなる場合がある。図２は、そのときの画面の様子を図示したものである。この画面例では合計１６個の駐車場マークが表示されており、一番上に表示されている駐車場マーク２１と２２の下には、他の駐車場マークが７個ずつ重なり合っている。
【００２２】
図２の画面例において、駐車場マーク２１の色はたとえば青色であり、空車であることを表している。これと同じ色の駐車場マークは全て空車であり、駐車場マーク２１を含めて合計８個ある。同様に、駐車場マーク２３と同じ色、たとえばオレンジ色の駐車場マークは混雑であることを表しており、合計４個ある。また、駐車場マーク２２と同じ色、たとえば赤色の駐車場マークは満車であることを表しており、合計４個ある。以下の説明では、これらの色分けされた駐車場マークのそれぞれを、空車マーク、混雑マークおよび満車マークともいう。なお、符号２４のマークは自車位置を示す自車位置マークであり、太線で表されている符号２５の道路は推奨経路を表している。
【００２３】
本発明では、図２のように駐車場マークが重なり合って表示されてしまう場合、駐車場マークを１つに統合して表示することで見やすい表示とする。図３は、その様子を示した図である。符号３１と３２に示す表示マークは、図２において重なり合っている複数の駐車場マークの各々によって表される駐車場情報の内容を１つに統合して表すための表示マークである。以下、このような表示マークを統合駐車場マークと称する。
【００２４】
統合駐車場マーク３１は、図２の駐車場マーク２１と、その下に重なっている７個の駐車場マークとを統合して表示したものである。これら統合される前の合計８個の駐車場マークの中には、駐車場マーク２１を含めて空車マークが４個あり、また、混雑マークと満車マークがそれぞれ２個ずつある。同様に、統合駐車場マーク３２は、図２の駐車場マーク２２と、その下に重なっている７個の駐車場マークとを統合して表示したものであり、これら合計８個の駐車場マークは、空車マーク４個、混雑マーク２個、満車マーク２個からなっている。
【００２５】
統合駐車場マーク３１は、符号３１１、３１２および３１３に示す各部分に色分けされている。色分け部分３１１、３１２および３１３には、図２の空車マーク、混雑マークおよび満車マークと同じ色、たとえば青色、オレンジ色、赤色がそれぞれ配色されている。このように配色することで、統合駐車場マーク３１の各色分け部分が統合前の各駐車場マークの空き状況に対応するようにしている。すなわち、色分け部分３１１は空車マークに対応しており、色分け部分３１２は混雑マーク、色分け部分３１３は満車マークにそれぞれ対応している。なお、統合した駐車場マークに空き状況が不明であるものが含まれている場合には、これに対応する配色（たとえばグレー）の色分け部分を加えてもよい。
【００２６】
さらに、統合駐車場マーク３１全体に対して色分け部分３１１、３１２および３１３がそれぞれ占める面積の割合は、図２で重なり合っている駐車場マークにおいて、その全体合計数に対するその空き状況ごとの合計数の比率と等しくなっている。各色分け部分の面積割合をこのようにすることで、統合駐車場マーク３１の表示形態が統合前の空き状況の割合に対応するようにしている。すなわち、合計８個の駐車場マークを統合した統合駐車場マーク３１の全体に対して、合計４個の空車マークに対応する色分け部分３１１が占める面積割合は、４／８＝０．５である。同様に、統合駐車場マーク３１の全体に対して、合計２個の混雑マークに対応する色分け部分３１２と、合計２個の満車マークに対応する色分け部分３１３とがそれぞれ占める面積割合は、いずれも２／８＝０．２５となっている。
【００２７】
また、統合駐車場マーク３１の下には、符号３３に示すように、統合前の駐車場マークの件数（合計数）が表示されている。以下の説明では、このような表示のことを件数表示という。この件数表示３３によって、統合駐車場マーク３１が何個の駐車場マークを統合したものであるかを分かるようにしている。さらに、上記で説明した色分け部分３１１、３１２および３１３によって、駐車場マークの合計数に対する空き状況ごとの割合が分かるようになっている。
【００２８】
統合駐車場マーク３２についても、上記の統合駐車場マーク３１と同様にして、色分け部分３２１、３２２および３２３の配色と面積割合が定められている。また、その統合前の駐車場マークの個数を表す件数表示３４も表示されている。以上説明したように、図２の各駐車場マークに置き換えて図３の統合駐車場マーク３１と３２を表示し、さらに、その統合駐車場マークごとに件数表示３３と３４を表示する。これにより、重なり合う駐車場マークを１つにまとめて、駐車場情報の本来の内容を、その情報量を損なうことなく、見やすく表示することができる。
【００２９】
なお、統合駐車場マーク同士が重ならないようにするため、図２および３に示すように、統合駐車場マークが道路地図上に占める面積は、統合する前の重なり合う駐車場マークの全体が道路地図上に占めていた面積よりも小さくすることは言うまでもない。
【００３０】
以上説明したような統合駐車場マークや駐車場マークを道路地図上に表示して駐車場情報の内容をユーザに提供するときに、制御回路１１において実行される処理のフローチャートを図４に示す。ステップＳ１では、ＤＶＤ−ＲＯＭ２０に記録されている地図データに基づいて、所定範囲の道路地図を描画する。ステップＳ２では、ステップＳ１で描画した道路地図範囲についてのＶＩＣＳ情報（レベル３）を受信済みであるか否かを判定する。ＶＩＣＳ情報を受信済みである場合は次のステップＳ３へ進む。一方、ＶＩＣＳ情報を受信していない場合は図４の処理フローを終了する。この場合、表示モニタ１６には道路地図のみが表示され、統合駐車場マークは表示されない。
【００３１】
ステップＳ３では、受信済みのＶＩＣＳ情報に含まれている駐車場情報を抽出する。この駐車場情報には、前述のように駐車場ごとの位置情報と空き状況が設定されている。ステップＳ４では、ステップＳ３でＶＩＣＳ情報から抽出した駐車場情報において、駐車場をいずれか１つ選択する。
【００３２】
ステップＳ５では、ステップＳ４で選択した駐車場について、駐車場マークを表示するといずれかの重なり判定範囲内に表示されるか否かを判定する。ここでいう重なり判定範囲とは、後で説明するステップＳ７を実行することにより設定されるものであり、最初にこのステップＳ５を実行するときにはまだ設定されていない。選択した駐車場の駐車場マークの表示位置がそのとき設定されている重なり判定範囲のいずれかと重なっている場合、すなわち、その駐車場マークを表示するといずれかの重なり判定範囲内に表示される場合には、ステップＳ６へ進む。
【００３３】
ステップＳ６では、ステップＳ５において駐車場マークと重なっていると判定された重なり判定範囲内の駐車場数をカウントアップする。このステップＳ６が各駐車場に対して実行されることにより、設定された重なり判定範囲ごとに、その中に含まれる駐車場マークの数だけ、駐車場数がカウントアップされる。なお、このときに後でステップＳ１２において統合駐車場マークの各色分け部分の面積割合を決定するために、空き状況（空車、混雑または満車のいずれか）ごとの駐車場数についてもカウントしておく。ステップＳ６を実行した後はステップＳ９へ進む。
【００３４】
一方、ステップＳ５において、選択した駐車場の駐車場マークの表示位置がいずれの重なり判定範囲にも重なっていないと判定された場合は、ステップＳ５からステップＳ７へと進む。ステップＳ７では、ステップＳ４において選択した駐車場の位置に重なり判定範囲を設定する。この重なり判定範囲を用いて、前述のステップＳ５の判定が実行される。なお、ここで設定される重なり判定範囲の大きさは、駐車場マークや統合駐車場マークと少なくとも同じか、それらよりも大きいことが好ましい。
【００３５】
次のステップＳ８では、ステップＳ７で設定した重なり判定範囲内の駐車場数を１に設定する。この駐車場数は、前述したステップＳ６が実行されることによって１つずつカウントアップされる。ステップＳ７を実行した後は、ステップＳ９へ進む。
【００３６】
ステップＳ９では、それまでに実行したステップＳ４により全ての駐車場を選択したか否かを判定する。全ての駐車場を選択した場合は、次のステップＳ１０へ進む。まだ選択していない駐車場がある場合はステップＳ４へ戻り、ステップＳ４において新たな駐車場を選択した後、その駐車場について上記に説明したような処理を実行する。
【００３７】
ステップＳ１０では、それまでに実行したステップＳ７において設定された重なり判定範囲をいずれか１つ選択する。次のステップＳ１１では、ステップＳ１０で選択した重なり判定範囲内の駐車場数は２以上であるか否かを判定する。この駐車場数は、前述したようにその重なり判定に対してステップＳ６の処理が実行されることによって、１から順次カウントアップされる。選択した重なり判定範囲内の駐車場数が２以上である場合はステップＳ１２へ進み、２以上でない場合、すなわち１の場合はステップＳ１３へ進む。
【００３８】
ステップＳ１２では、選択した重なり判定範囲内の駐車場数に応じて、統合駐車場マークと件数表示を表示する。このとき、空き状況ごとの駐車場数に応じて、前述したように統合駐車場マークの各色分け部分の面積割合を決定する。これにより、図３の統合駐車場マーク３１と３２、および件数表示３３と３４が、表示モニタ１６において道路地図上に表示される。ステップＳ１２を実行した後はステップＳ１４へ進む。
【００３９】
一方ステップＳ１３では、駐車場マークを表示する。これにより、駐車場マークが重なり合わないときには、統合駐車場マークでなく駐車場マークが表示モニタ１６において道路地図上に表示される。ステップＳ１３を実行した後はステップＳ１４へ進む。
【００４０】
ステップＳ１４では、それまでに実行したステップＳ１０により全ての重なり判定範囲を選択したか否かを判定する。全ての重なり判定範囲を選択した場合は、図４の処理フローを終了する。しかし、まだ選択していない重なり判定範囲がある場合はステップＳ１０へ戻り、ステップＳ１０において新たな重なり判定範囲を選択した後、その重なり判定範囲について上記に説明したような処理を実行する。
【００４１】
以上説明したようにして、受信したＶＩＣＳ情報に基づいて統合駐車場マークと駐車場マークを道路地図上に表示することにより、本来の駐車場情報の内容を見やすくユーザに提供することができる。
【００４２】
以上説明した実施の形態によれば、次の作用効果が得られる。
（１）受信したＶＩＣＳ情報より駐車場情報を抽出し（ステップＳ３）、この駐車場情報に基づいて、表示モニタ１６に表示された道路地図上に駐車場マークを表示する。複数の駐車場マークが重なり合って表示されるときは、その複数の駐車場マークに置き換えて、統合駐車場マークを道路地図上に表示する（ステップＳ１２）こととした。このようにしたので、駐車場マークが重なって表示されてしまうような駐車場の密集地域においても、視認性を損なわずに、本来の駐車場情報の内容をユーザに提供することができる。
【００４３】
（２）統合駐車場マークに置き換えられた複数の駐車場マークの合計数を表す件数表示を統合駐車場マークごとに表示する（ステップＳ１２）こととしたので、その統合駐車場マークが何個の駐車場マークを統合したものであるかが分かる。
【００４４】
（３）統合駐車場マークのそれぞれを、その統合駐車場マークが表す駐車場情報の内容における空き状況ごとの駐車場の合計数の比率に応じた表示形態で表示することとした。具体的には、統合駐車場マークの各色分け部分がその統合駐車場マークの全体に対して占める面積の割合を、統合前の重なり合っている駐車場マークの全体合計数に対する空き状況ごとの合計数の比率とそれぞれ等しくなるようにした。このようにしたので、統合駐車場マークの表示形態により、統合前における空き状況ごとの駐車場マークの割合が分かる。
【００４５】
なお、上記の実施の形態では、駐車場マークや統合駐車場マークを用いて駐車場情報の内容を表示する例について説明したが、本発明を他の道路交通情報について適用してもよい。たとえば、通行規制情報の内容を表示する通行規制マークに本発明を適用して、統合通行規制マークを表示することもできる。このとき、上記の実施の形態において空き状況ごとの駐車場数に応じて統合駐車場マークの各色分け部分の面積割合を変えたのと同様に、統合通行規制マークを色分けし、その各色分け部分の面積割合を通行規制の種類ごとの合計数に応じて変えることができる。さらに、駐車場情報と通行規制情報など、複数の道路交通情報の内容を統合するようにしてもよい。
【００４６】
また、統合駐車場マークを他の表示形態で表示するようにしてもよい。たとえば、図５に示す統合駐車場マーク４１〜４３では、影を付けることにより立体的に表示するとともに、統合した駐車場マークの件数に応じてその立体的表示の高さを変えている。図５の例では、１０件ごとに立体的表示の高さを変化させている。すなわち、８個の駐車場マークを統合した統合駐車場マーク４１よりも、１２個の駐車場マークを統合した統合駐車場マーク４２のほうが、影の部分が長く、立体的により高く見えるようになっている。また、２４個の駐車場マークを統合した統合駐車場マーク４３は、これらよりもさらに高く見えるような表示形態をしている。このようにすると、統合駐車場マークを見ただけで、統合した駐車場マークのおおよその個数が分かる。
【００４７】
あるいは、図６に示す統合駐車場マーク５１のようにしてもよい。この統合駐車場マーク５１は、色分け部分５１１、５１２および５１３に色分けされている。一番外側の色分け部分５１１は、統合した駐車場マークにおいて一番駐車場数の多い空き状況の種類（ここでは空車マーク）に対応しており、内側になるに従って、より駐車場数の少ない空き状況の種類（ここでは、混雑マーク、満車マークの順）に対応するようになっている。このようにすると、空き状況ごとの駐車場数の順序がより分かりやすくなる。なお、このときの各色分け部分の面積は一定であり、駐車場数によって変化することはない。
【００４８】
さらに、上記の実施の形態において、入力装置１７の操作により統合駐車場マークが選択される等のユーザからの要求に応じて、駐車場マークが重なり合わないような地図縮尺まで自動的に拡大するようにしてもよい。
【００４９】
上記の実施の形態では、ＶＩＣＳ情報や基地局からの配信によって取得した道路交通情報の内容を表示する例を説明したが、他の方法で取得した道路交通情報の内容を表示するようにしてもよい。たとえば、地図データ中にあらかじめ記憶された駐車場の位置情報を地図データから取得し、この内容を道路交通情報として表示することもできる。さらに、様々な方法で取得した道路交通情報の内容を同時に表示するような場合にも、本発明を適用することができる。
【００５０】
上記実施の形態では、ナビゲーション装置において、ＤＶＤ−ＲＯＭなどの記憶メディアに記録された地図データに基づいて経路探索を行い、探索された推奨経路にしたがって自車両を案内する例について説明しているが、本発明はこの内容には限定されない。たとえば、携帯電話などによる無線通信を用いて、地図データを情報配信センターからダウンロードする通信ナビゲーション装置などにおいても、本発明を適用できる。
【００５１】
本発明は、上記実施の形態に限定されるものではなく、本発明の技術的思想の範囲内で考えられるその他の態様も、本発明の範囲内に含まれる。
【図面の簡単な説明】
【００５２】
【図１】本発明の一実施形態によるナビゲーション装置の構成を示すブロック図である。
【図２】駐車場マークが重なり合っている様子を示す図である。
【図３】重なり合っている駐車場マークを統合して統合駐車場マークを表示した様子を示す図である。
【図４】統合駐車場マークや駐車場マークを道路地図上に表示するときに実行される処理のフローチャートである。
【図５】統合駐車場マークの他の表示形態として、立体的に表示した例を示す図である。
【図６】統合駐車場マークのさらに別の表示形態の例を示す図である。
【符号の説明】
【００５３】
１  ナビゲーション本体
１１  制御回路
１２  ＲＯＭ
１３  ＲＡＭ
１４  現在地検出装置
１５  画像メモリ
１６  表示モニタ
１７  入力装置
１８  ＶＩＣＳ情報受信部
１９  ディスクドライブ
２０  ＤＶＤ−ＲＯＭ
２１〜２３  駐車場マーク
３１，３２  統合駐車場マーク
３３，３４  件数表示
【図１】
2005308475.tif 000003
【図２】
2005308475.tif 000004
【図３】
2005308475.tif 000005
【図４】
2005308475.tif 000006
【図５】
2005308475.tif 000007
【図６】
2005308475.tif 000008